【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
長さ縦方向に対して角度を為して一軸配向されたポリマーフィルムを製造する方法であって、レイフラットチューブ状フィルムは、延伸ローラーの間で長さ方向に配向されて、安定され、配向に次いで、長さ方向に伸びる中心線の周りをレイフラットチューブを回転させるタンブリング動作を行う、巻出スタンド（５）内のリール（９）から巻き出し、次にマンドレル（１６）の上にドラッギングすることによってインフレートされ、スクリュー運動により均等に推進され、フィルム表面の各ポイントは螺旋状に進み、固定位置に配置されたナイフ（１８）で切断を行うことにより螺旋状に切断され、該螺旋状に切断されたフィルムがマンドレルから離されることを含み、該延伸ローラー（１０７−１１２、１０１−１０６）は、タンブリング巻出スタンド内に配置され、レイフラットチューブの巻き出しとインフレートの間の工程として配向が行われ、さらに、安定化が螺旋状の切断の後に行われることを特徴とする方法。
【手続補正２】
【補正対象書類名】明細書
【補正対象項目名】００３８
【補正方法】変更
【補正の内容】
【００３８】
ローラー（１０２）と（１０３）との間では延伸が行われる。この延伸はフィルムに永久的な伸びを与えるほぼ限界である。主な永久的な伸張は通常ローラー（１０３）と（１０４）の歯の間の噛合いによって起こされるべきであるが、更なる幾分かの永久的な伸張が、ローラー（１０４）とローラー（１０６）の間での延伸によって、起こされてもよい。
本願発明はその実施態様として以下を含む。
第１項：長さ縦方向に対して角度を為して一軸配向されたポリマーフィルムを製造する方法であって、レイフラットチューブ状フィルムは、延伸ローラーの間で長さ方向に配向されて、安定され、配向に次いで、長さ方向に伸びる中心線の周りをレイフラットチューブを回転させるタンブリング動作を行う、巻出スタンド（５）内のリール（９）から巻き出し、次にマンドレル（１６）の上にドラッギングすることによってインフレートされ、スクリュー運動により均等に推進され、フィルム表面の各ポイントは螺旋状に進み、固定位置に配置されたナイフ（１８）で切断を行うことにより螺旋状に切断され、該螺旋状に切断されたフィルムがマンドレルから離されることを含み、該延伸ローラー（１０７−１１２、１０１−１０６）は、タンブリング巻出スタンド内に配置され、レイフラットチューブの巻き出しとインフレートの間の工程として配向が行われ、さらに、安定化が螺旋状の切断の後に行われることを特徴とする方法。
第２項：前記の安定化が螺旋状の切断とインラインで行われる、第１項記載の方法。
第３項：前記の安定化が熱によって行われる、第１または２項記載の方法。
第４項：前記の安定化が一連の近接して離隔して配置された熱ローラーの上にＳ−経路でフィルムを通過させることによって行われる、第３項記載の方法。
第５項：前記の通過の間に、好ましくは５〜２０％の間、フィルムが新しい機械方向に延伸される、第４項記載の方法。
第６項：前記の安定化が噛合い溝付きローラーの間で、横方向の延伸により起こり、その溝は円形または螺旋状であり、好ましくは延伸が近接して離隔して配置された溝付きローラーの鋭い端の間で起こる、第１または２項記載の方法。
第７項：該巻出スタンドにおける延伸が、フィルムがＳ−経路で通過する近接して離隔して配置された滑らかなローラーの間で行われる、第１または２項記載の方法。
第８項：少なくとも延伸の一部がローラー軸の方向に伸びる歯が提供された一以上の組のローラーの間で行われ、各組のローラーの該歯が互いに噛合う、第１または２項記載の方法。
第９項：前記の巻出スタンド内での巻出と延伸の間で、プリーツをフィルムに全体の幅で提供することを含み、延伸加工の間にプリーツが消滅するほどに、それぞれのプリーツのサイズが十分に小さく、プリーツの分布が十分に均一である、第１または２項記載の方法。
第１０項：フィルムの５０重量％以上がＨＤＰＥ、ＬＬＤＰＥまたは結晶性のＰＰから成る、第１から９のいずれか１項項記載の方法。
第１１項：第１から１０のいずれか１項項記載の方法を実施するための装置であって、レイフラットチューブ状フィルムを巻き出し、長さ方向に伸びる中心線（２３）の周りに該フィルムを回転させるように配置されるタンブリング巻出装置を含む、レイフラットチューブ状フィルムのリール（９）を取り付けることができる巻出スタンド（１）、マンドレル（１４）、引き出されたフィルムを開いて開かれたチューブを形成し、該開かれたチューブをスクリュー運動でマンドレルの上を引きずる手段、該開かれたチューブを螺旋状に切るための固定位置に配置されるナイフ（１８）、螺旋状に切断されたフィルムをマンドレルから引き出す手段を含む装置であって、リールから巻きだした後であってマンドレルの上に引きずられるために開かれる前に長さ方向にレイフラットチューブ状フィルムを伸ばすため、およびタンブリング巻出装置とともにタンブリングするために取り付けられる延伸ローラー (107-112, 101 -106)を含み、さらにマンドレルから引き出された後に螺旋状に切断されたフィルム中の延伸ローラーにより与えられた配向を安定化させるための安定化手段を含む、装置。
第１２項：該安定化手段がナイフとインラインで提供される、第１１項記載の方法。
第１３項：該安定化手段がＳ−経路を螺旋状に切断されたフィルムに提供するように配置された少なくとも１つの熱ローラー、好ましくは複数の加熱されたローラーを含む、第１１または１２項記載の方法。
第１４項：該安定化手段が、螺旋状に切断されたフィルムに長さ方向の延伸、好ましくは５から２０％の延伸を提供するように配置された、第１３項記載の方法。
第１５項：該安定化手段が螺旋状に切断されたフィルムの横方向の延伸のために円形のまたは螺旋状の溝を有する噛合い溝付きローラーを含み、好ましくは溝付きローラーが鋭い端のリッジを有する、第１１または１２項記載の方法。
第１６項：該タンブリング延伸ローラーが、Ｓ−経路でレイフラットフィルムがそれらの間を通過するように配置された、少なくとも１組の滑らかな表面を有するローラー（１０７−１１２、１０１−１０２、１０５−１０６）を含む、第１１から１５のいずれか１項項記載の装置。
第１７項：該タンブリング延伸ローラーが、それらの間でレイフラットチューブが長さ方向に延伸されるように配置された、軸に平行に伸びる互いにかみ合う溝を有する、一対の歯を有するローラー（１０３−１０４）を含む、第１１から１５のいずれか１項項記載の装置。
第１８項：前記のレイフラットチューブ状フィルムのリール（９）が、巻き出されるレイフラットチューブ状フィルムの長さ方向に伸びる中心線（２３）に対して、その軸が垂直になるように巻出スタンド中に取り付けられ、その軸が該中心線の周囲を回転し、巻出し装置をタンブリングするように取り付けられる、第１１から１７のいずれか１項項記載の装置。
第１９項：前記のレイフラットチューブ状フィルムのリールが、巻き出されるレイフラットチューブ状フィルムの長さ方向に伸びる中心線に対してその軸が並ぶように固定され、タンブリング巻出装置がリールの周りをスピンし、それによりチューブ状フィルムが回転される、第１１から１７のいずれか１項項記載の装置。
第２０項：リールとタンブリング長さ方向延伸ローラーの間にあるレイフラットチューブ状フィルムに、長さ方向に伸びるプリーツを提供するためのプリーツ提供手段をさらに含む、第１１から１９のいずれか１項項記載の装置。
第２１項：フィルムのチューブをふくらませるためにマンドレルを通して空気を供給する空気供給手段（１３）を含む、第１１から２０のいずれか１項項記載の装置。
第２２項：所定の直径のフレキシブルなチューブ状のポリマーフィルムを螺旋状に切断して平坦なストリップにするための装置であって、
レイフラット形態のチューブ状フィルムのリールを取り付けるための取り付け手段を備える巻出スタンド、
該リールから平坦なチューブ状フィルムを巻出すための巻出装置、
該巻出装置は所定のタンブリング軸の周囲をタンブリングし、該長さ方向の中心線の周囲を回転するように取り付けられ、それにより該平坦なチューブ状フィルムがリールから巻き出され、その長さ方向の中心線が該所定のタンブリング軸に並ぶようにしてエクスパンジョンゾーンに供給される、
該装置はさらに実質的に円形の断面のフィルムチューブにレイフラットチューブ状フィルムを開くための手段を備えたエクスパンジョンゾーン、
外径がフィルムチューブ直径よりも小さく、該所定のタンブリング軸と同軸であるマンドレル、
スクリュー運動でフィルムチューブをマンドレルの上に引きずる手段、
螺旋状に切断された平坦なフィルムストリップを形成するために所定の角度でチューブのフィルムを切断するための、マンドレルに対して所定の固定された位置に備えられるナイフ、
マンドレルから螺旋状に切断されたフラットフィルムストリップ取り出す手段をさらに含み、
該装置は、リールから巻き出された後であってエクスパンジョンゾーンに達する前に、長さ方向にレイフラットフィルムを伸ばすための延伸ローラーをさらに含み、該延伸ローラーはタンブリング巻出装置に、所定のタンブリング軸の周囲をともにタンブリングするように取り付けられ、
さらにマンドレルから引き出した後に、螺旋状に切断されたフラットフィルムストリップに前述の延伸ローラーにより与えられた配向を安定させる手段をさらに含む、装置。